(57)【要約】【課題】  葉詰め作業台、ストック台、吊り込み装置等を簡単な構造をもって堅固に連結して、葉詰め作業台の載承部、ストック台のガイドレール、吊り込み装置の昇降レール等の左右一対のレール手段の直線的な連続形態を保持する。【解決手段】  一方の設備の脚部に設けた平行部２４に連結用フレーム１４の一端側を嵌合状に嵌め込み軸着してその連結用フレーム１４を起伏可能とし、他方の設備の脚部に倒伏時の連結用フレーム１４の他端側が嵌合状に嵌め込まれる嵌合部３４を設け、その嵌合部３４、連結用フレーム１４のどちらか一方に係合突起４４を、他方にその係合突起４４が差込係止される係止孔３４ａを開孔し、平行部２４と嵌合部３４とに連結用フレーム１４の端部を嵌合状に嵌め込んで、隣設する設備同士を水平方向回動不能に連結し、同フレーム１４倒伏時に係止孔３４ａに係合突起４４を差込係止して隣設する設備同士を相対位置変位不能に堅固に連結する。【選択図】  図５
0003110126.tif 000002
【実用新案登録請求の範囲】
【請求項１】
葉詰め作業台の他にその葉詰め作業台で葉詰めされた適宜数の葉たばこ吊り具をストックするストック台や、葉たばこ吊り具を乾燥室に送り込む吊り込み装置を備えた葉たばこの葉詰め・吊り込み装置において、その葉詰め作業台、吊り込み装置、ストック台等の隣設する設備相互間における一方の設備の脚部に平行部を設けて、その平行部に連結用フレームの一端側を嵌合状に嵌め込み軸着してその連結用フレームを起伏可能に構成し、他方の設備の脚部に倒伏時の連結用フレームの他端側が嵌合状に嵌め込まれる嵌合部を設けると共にその嵌合部、連結用フレームのどちらか一方に係合突起を、他方にその係合突起が差込係止される係止孔を開孔したことを特徴とする葉たばこの葉詰め・吊り込み装置。
【請求項２】
前記全ての設備または所要な設備に、葉詰め・吊り込み作業実行時の移動を防止するストッパー手段を備え、該ストッパー手段は、葉詰め・吊り込み作業実行時の所定床面位置に解除可能に固定され前記ベースの内面に係合する位置決め凸部を突設する位置設定プレートと、その位置決め凸部が係合するベースを下端に備えて前記設備の脚部に上下動可能に螺嵌するアジャスト脚とを備えていることを特徴とする請求項１記載の葉たばこの葉詰め・吊り込み装置。
【考案の詳細な説明】
【技術分野】
【０００１】
本考案は、葉たばこを乾燥室に吊り込むために、収穫した葉たばこの葉たばこ吊り具への葉詰め、その葉詰めされた葉たばこ吊り具の乾燥室への吊り込みに使用される葉たばこ葉詰め・吊り込み装置に関するものである。
【背景技術】
【０００２】
葉たばこ葉詰め・吊り込み装置には、葉詰め作業台の前方にストック台を設置し、そのストック台に連絡して吊り込み装置を設置した前者と、葉詰め作業台の前方に連絡して吊り込み装置を設置した後者等が存在する。
前者は、葉詰め作業台のテーブルの前縁に沿って葉たばこ吊り具を水平状態から下向きに回動可能とする葉受け体を設けて、該葉受け体を水平状態から下向きに回動させて葉詰めされた葉たばこの葉柄が上向きに葉先が下向きになるように葉たばこ吊り具を、葉受け体の両側に設けた載承部に載承し、その葉たばこ吊り具を水平方向に押し出すことによって載承部に載承されている葉たばこ吊り具をストック台のガイドレールに送り込んで適宜数をストックし、ストック台に送り込まれた葉たばこ吊り具は押し出しによって吊り込み装置の昇降レールに送り込まれる構成である。
そして、後者は、載承部の前方に昇降レールを配置して吊り込み装置を設置し、葉詰めされた葉たばこ吊り具を載承部から水平方向に押し出すことによって葉たばこ吊り具が吊り込み装置の昇降レールに送り込まれる構成である。
【０００３】
ところで、葉詰め作業台、ストック台、吊り込み装置等の各設備類は、収穫期以外はその相互連結を解除した分離状態で管理され、収穫期になると、相互に分離可能に連結して使用に供される。
その際、それら設備類は、葉たばこ吊り具を葉詰め作業台から送り出すことによって乾燥室に設置された吊り込みレールに吊り込むため、葉詰め作業台の載承部、ストック台のガイドレール、吊り込み装置の昇降レール等の左右一対のレール手段が一直線に連続するようにその葉詰め作業台に対して、ストック台や吊り込み装置等の設備を高精度をもって直列に連結する必要がある。
従来、葉詰め作業台とストック台、ストック台と吊り込み装置、葉詰め作業台と吊り込み装置等の設備相互の連結は、一方の設備の脚部と他方の設備の脚部とに亘って連結用フレームを架け渡し、それをボルト・ナットで締結して行われている。
しかしながら、連結用フレーム両脚部のボルト・ナット止めによる連結では、前記レール手段の直線度を出し難く、しかも葉詰めされた重量化する葉たばこ吊り具をレール手段方向に真っ直ぐ押し出さねば吊り込み装置やストック台に集中する応力で前記連結用フレームがボルト・ナットによる締結部を中心に水平方向に回動し各設備の相対的位置を変位させて、葉たばこ吊り具の乾燥室への吊り込みを不能にする虞れがあるため、葉詰めされた重量化する葉たばこ吊り具の送り出し方向に細心の注意を要し、その結果、乾燥室への吊り込み能率を低下させているのが実状であった。
本願出願人が知っている前記の隣設して設置する設備類の連結に関する先行技術は、文献公知発明に係るものではないため、本願明細書には先行技術文献情報を開示しない。
【考案の開示】
【考案が解決しようとする課題】
【０００４】
本考案は上記従来事情に鑑みてなされたもので、その目的とする処は、葉詰め・吊り込み装置を構成する隣設する設備類（葉詰め作業台、ストック台、吊り込み装置等）を簡単な構造をもって堅固に連結して、葉詰め作業台の載承部、ストック台のガイドレール、吊り込み装置の昇降レール等の左右一対のレール手段の直線的な連続形態に保持する葉たばこの葉詰め・吊り込み装置を提供することにある。
更に他の目的とする処は、葉詰め・吊り込み作業実行時に床面に対して固定されて、移動することがない葉たばこの葉詰め・吊り込み装置を提供することにある。
【課題を解決するための手段】
【０００５】
前記課題を解決するために講じた技術的手段は、葉詰め作業台の他にその葉詰め作業台で葉詰めされた適宜数の葉たばこ吊り具をストックするストック台や、葉たばこ吊り具を乾燥室に送り込む吊り込み装置を備えた葉たばこの葉詰め・吊り込み装置において、その葉詰め作業台、吊り込み装置、ストック台等の隣設する設備相互間における一方の設備の脚部に平行部を設けて、その平行部に連結用フレームの一端側を嵌合状に嵌め込み軸着してその連結用フレームを起伏可能に構成し、他方の設備の脚部に倒伏時の連結用フレームの他端側が嵌合状に嵌め込まれる嵌合部を設けると共にその嵌合部、連結用フレームのどちらか一方に係合突起を、他方にその係合突起が差込係止される係止孔を開孔したことである（請求項１）。
【０００６】
以上の手段によれば、一方の設備の脚部に設けた平行部と、他方の設備の嵌合部とに連結用フレームの両端が嵌合状に嵌め込まれた上に、その嵌合部または連結用フレームとのどちらか一方に設けた係止孔に他方に設けた係合突起が差込係止されて、隣設する設備を、連結用フレームを介して相対位置変位不能に堅固に連結する。
【０００７】
また、全ての設備または所要な設備に、葉詰め・吊り込み作業実行時の移動を防止するストッパー手段を備え、該ストッパー手段は、葉詰め・吊り込み作業実行時の所定床面位置に解除可能に固定され前記ベースの内面に係合する位置決め凸部を突設する位置設定プレートと、その位置決め凸部が係合するベースを下端に備えて前記設備の脚部に上下動可能に螺嵌するアジャスト脚とを備えていると好適なものである（請求項２）。
【０００８】
以上の手段によれば、葉詰め作業台、ストック台、吊り込み装置等の設備を葉詰め・吊り込み作業実行時の所定床面位置に解除可能に固定して、葉詰め・吊り込み装置を乾燥室に対して定位置に保持する。
【考案の効果】
【０００９】
本考案は以上のように起伏可能な連結用フレームの双方の設備に対する嵌合方式による水平方向回動不能な強固な連結と、係合突起に対する係止孔の接近・離間方向の移動不能な連結とが協働して、簡単な構成でありながら、隣設して設置する設備類を、その相対位置を変位不能に堅固に連結する。
従って、葉詰め作業台の載承部、ストック台のガイドレール、吊り込み装置の昇降レール等のレール手段を一直線に連続するようにその葉詰め作業台、ストック台、吊り込み装置等の設備を高精度をもって直列に連結するに際して、連結用フレームを倒伏させて、他端側を、係止孔に係合突起が差込係止されるようにして嵌合部に嵌め込むだけで、その連結が完了し、連結作業が頗る簡単であるし、葉詰めされた重量化する葉たばこ吊り具のストック台や吊り込み装置への送り込み時の押し出し力が片寄って片側のレール手段に集中するようなことがあっても、葉詰め作業台に対してストック台や吊り込み装置、ストック台に対して吊り込み装置が連結用フレームを介して水平方向に回動変位せず、葉詰めされた葉たばこ吊り具をストック台や吊り込み装置へと確実に送り出すことができる。
【００１０】
しかも、それら設備を葉詰め・吊り込み作業実行時の所定床面位置に固定できるから、葉たばこの葉詰め・吊り込み装置自体の乾燥室に対する相対位置な変位することもない。
【考案を実施するための最良の形態】
【００１１】
次に本考案葉たばこの葉詰め・吊り込み装置の実施の形態を説明する。
図１〜図７は葉たばこの葉詰め・吊り込み装置の第１の実施の形態を、図８は同第２の実施の形態を各々示している。
【実施例１】
【００１２】
図１乃至図７に示す第１の実施の形態は、葉詰め作業台の前方にストック台を介して吊り込み装置を設置した葉たばこ葉詰め・吊り込み装置であり、符号１は葉詰め作業台、２はストック台、３は吊り込み装置、４は各設備同士の連結装置である。
葉詰め作業台１は、図３、図４に示すようにキャスター３１で移動可能になっており、支持台１１にテーブル２１を支持し、その支持台１１の後縁に沿って葉詰め作業時に葉柄を当てる葉柄当て板４１を立設し、テーブル２１の前方に沿って水平状態から下向きに葉受け体５１を回動可能に設け、その葉受け体５１と支持台１１とに亘って緩衝手段６１（ダンパー機構）を架設して、その緩衝手段６１で葉受け体５１を支持し、その葉受け体５１の左右両端部に葉たばこ吊り具Ａの左右両端部を載承する載承部７１、７１を備えた今日公知の基本的構成（特開２００４−１９４５４７号等）のものを図示している。
そして、この葉詰め作業台１では、葉たばこ吊り具Ａの受けラックａ１をテーブル２１に載承し、葉柄を葉柄当て板４１に当接させた状態で葉たばこをその受けラックａ１上に積み重ねた後、葉柄側にフォークラックａ２の長針を刺し込んで、両ラックａ１、ａ２の両端を互いにパッチン錠ａ３等を用いて分離不能に連結してから、葉たばこ吊り具Ａに前記緩衝手段（ダンパー機構）６１の緩衝力に抗する回動力を付与して前記葉受け体５１を葉先が下向きになるように水平状態から回動させて、葉たばこ吊り具Ａの左右両端を前記載承部７１、７１に載承した後に、葉詰め作業台Ａの前方に配置したストック台２に葉詰めされた葉たばこ吊り具Ａを複数水平にストックできるようになっている（図４参照）。
【００１３】
前記載承部７１各々は、図３等に示すように支持アーム７１ａを前記葉受け体５１から立設し、その支持アーム７１ａに等間隔をおいて支持ローラ７１ｂ…複数個を回転可能に軸着して構成されている。
また、前記載承部は、図示しないが無端ベルトであっても良いものである。
【００１４】
前記葉たばこ吊り具Ａは、左右端部上下部分前縁に沿って吊り込みローラａ…が回転可能に軸着され、この吊り込みローラａ…が図４に示すように、ストック台２のガイドレール１２に載承されて送り込むことができるようになっている。
【００１５】
前記支持台１１は、この実施の形態では図３等に示すように横長矩形状に枠組形成されたテーブル支持枠１１ａの下端にロック解除可能なキャスター３１を備えた左右一対の平行脚杆１１ｂ、１１ｂを横設した単純な構成になっている。
【００１６】
前記ストック台２は、図１、図４等に示すように、単純には左右一対のガイドレール１２、１２を、キャスター３２と移動位置でストック台２を移動不能に固定するストッパー手段７とを備えた脚体２２で支持した構成になっており、脚体２２は、その下端に支持台１１の前記すれる平行脚杆１１ｂ、１１ｂと同等高さ、同一間隔をおいて平行脚杆２２ａ、２２ａを一対横設し、その平行脚杆２２ａ、２２ａに前記キャスター３２とストッパー手段７とを備えている。
このストック台２において、図１中の符号５は吊り込み装置３の昇降レール１３への起伏可能な受け渡しレールで、ガイドレール１２、１２後端に取り付けられている。
【００１７】
前記吊り込み装置３は、その昇降レール１３、１３を門型枠体２３の左右枠部に設けられた上下動装置（簡略して示す）に亘って水平状をもって支持されており、その上下動装置の駆動源の作動によって乾燥室６の吊り下げレール１６高さに応じてその左右一対の昇降レール１３、１３が高さ調整される周知の構成であり、その左右枠部はその下端に、葉詰め作業台１における支持台１１下端の平行脚杆１１ｂ、１１ｂ、ストック台２下端の平行脚杆２２ａ、２２ａと同等高さ、同等間隔をおいてキャスター３３と吊り込み装置３を移動位置で移動不能に定置固定するストッパー手段７とを備えた平行脚杆２３ａ、２３ａを有しており、昇降レール１３、１３の後端には、乾燥室６の吊り込みレール１６に連絡する受け渡しレール５がストック台２と同様に起伏可能に取り付けられている。
【００１８】
前記葉詰め作業台１とストック台２及び／またはストック台２と吊り込み装置３は、連結装置４で分離可能に堅固に連結されるようになっている。
【００１９】
この連結装置４は、図５、図６に示すように、連結用フレーム１４と、葉詰め作業台１またはストック台２、ストック台２または吊り込み装置３のどちらか一方と設備に設けられ連結用フレーム１４一端側を軸着して連結用フレーム１４を起伏可能にする平行部２４と、他方の設備に設けられ倒伏時の連結用フレーム１４の他端側を固定する嵌合部３４及び係合突起４４等とを備えている。
【００２０】
前記連結用フレーム１４は、金属製の矩形型材の片端側から下向きコ字部１４ａを連設して形成されている。
【００２１】
この実施の形態では、平行部２４を、図１等に示すように、葉詰め作業台１とストック台２との連結間係において葉詰め作業台１に設け、ストック台２と吊り込み装置３との間係においてストック台２に設けている。
前記平行部２４は、葉詰め作業台１の平行脚杆１１ｂ、１１ｂ後端、ストック台２の平行脚杆２２ａ、２２ａ後端に設けられている。
葉詰め作業台１の平行脚杆１１ｂ、１１ｂ後端の平行部２４は、連結用フレーム１４幅寸法と同等間隔をもって一体もしくは一体的に帯板状の受け板をその平行脚杆１１ｂ、１１ｂ後端から起設して形成されている。
また、ストック台２の平行脚杆２２ａ、２２ａ後端の平行部２４は、平行脚杆２２ａ、２２ａの内面に、棒材を溶接等の適宜手段で固定し、その棒材に連結用フレーム１４幅寸法と同等間隔をもって一体もしくは一体的に帯板状の受け板を起設して形成されている。
【００２２】
その平行部２４には、図５、図６に示すように、連結用フレーム１４の一端側に開孔した軸通し孔１４ｂに対応してその一対の受け板に通孔を開孔し、軸通し孔、通孔に回転支軸２４ａを貫通すると共にその回転支軸２４ａ両端に軸と直交する方向に開孔したピン孔２４ｂに受け板との間に座金２４ｃを介して割りピン５４を引抜き可能に差込係止して連結用フレーム１４の一端側を嵌合状に支持して、その連結用フレーム１４を起伏可能にしている。
【００２３】
前記嵌合部３４は、倒伏時の前記連結用フレーム１４他端側の下向きコ字部１４ａが嵌合する程度の幅寸法をもって葉詰め作業台１、ストック台２方向にストック台２の平行脚杆２２ａ、２２ａ前端、吊り込み装置３の平行脚杆２３ａ、２３ａから水平状に突設し、その中途部に下向きコ字部１４ａの頂面に開孔した係止孔３４ａに嵌合係止する係合突起４４を立上げ形成している。
この実施の形態において、嵌合部３４はストック台２の平行脚杆２２ａ、２２ａ前端、吊り込み装置３の平行脚杆２３ａ、２３ａ前端に溶着した金属製の棒体からなっており、その棒体から前記係合突起４４を同一体に突設形成している。
【００２４】
前記ストッパー手段７は、図７に示すように上端に操作摘みを有するアジャスト脚１７と位置設置プレート２７とからなり、アジャスト脚１７は、ストック台２、吊り込み装置３下端の平行脚杆２２ａ、２２ａ、２３ａ、２３ａ夫々の端部寄りの２箇所に上下動可能に螺嵌すると共に、その下端に、下方を開放したキャップ状のベース１７ａをナット１７ｂ止めによって取り付けられている。
他方、位置設定プレート２７は、床面Ｂへの固定孔２７ｂを有するプレート２７ａからバーリング等の適宜手法で下降時の前記ベース１７ａの内面に接近する位置決め凸部２７ｃを環状をもって突設形成してなり、固定孔２７ｂを介して床面Ｂにネジ１００止めした後、前記アジャスト脚１７を下降させて、ベース１７ａ内面を位置決め凸部２７ｃの外側に接近させることによって、ストック台２や吊り込み装置３を所定の床面Ｂ位置で移動不能にすることができるようになっている。
【００２５】
以上のように構成されている葉たばこ葉詰め・吊り込み装置は、キャスター３１、３２、３３で、設備である葉詰め作業台１、ストック台２、吊り込み装置３を、乾燥室６に対して所定の床面Ｂ位置まで移動させ、その所定の床面Ｂ位置に前記位置設定プレート２７を固定した後、アジャスト脚１７を回転操作して位置決め凸部２７ｃを包囲するようにベース１７ａを下降させる。これによって、仮にストック台２、吊り込み装置３に移動力が働いても、アジャスト１７脚下端のベース１７ａが位置設定プレート２７の位置決め凸部２７ｃに係止してその移動が防止される。
そして、葉詰め作業台１とストック台２、ストック台２と吊り込み装置３同士の相互間において、平行部２４に一端側が嵌合状に軸着された連結用フレーム１４を倒伏させて係合突起４４を係止孔３４ａに差込係止すると同時にその他端側のコ字部１４ａを嵌合部３４に嵌合させて、葉詰め作業台１に対してストック台２を、ストック台２に対して吊り込み装置３を夫々連結する。
これによって、葉たばこ葉詰め・吊り込み装置がストッパー手段７で乾燥室６に対して移動不能に一体化された上、連結装置４によって、葉詰め作業台１にストック台２、ストック台２に対して吊り込み装置３が相対位置変動不能に堅固に連結されて、重量化する葉たばこ吊り具Ａの送り込み時の押し出し力が一方のレール方向に片寄るようなことがあっても葉詰め作業台１に対してストック台２、ストック台２に対して吊り込み装置３が水平方向に回動変位するようなことはなく、葉詰め作業台１の載承部７１、ストック台２のガイドレール１２、吊り込み装置３の昇降レール１３等のレール手段を直線的に連続する形態にしっかりと保形して、乾燥室６に葉たばこ吊り具Ａを確実に送り込むことができる（図５、図６参照）。
【実施例２】
【００２６】
次に図８に示す第２の実施の形態を説明すると、この実施の形態は、葉詰め作業台１に直接吊り込み装置３を連絡した葉たばこ葉詰め・吊り込み装置を示し、葉詰め作業台１に対して前記連結装置４を介して連結させる設備が吊り込み装置３に置換されるだけであるため、同一符号を付して具体的説明は省略する。
【図面の簡単な説明】
【００２７】
【図１】本発明葉たばこの葉詰め・吊り込み装置の第１の実施の形態の側面図で概略的に示す。
【図２】同平面図で一部切欠して示す。
【図３】葉詰め作業台とストック台の連結装置を示す斜視図で、（ａ）は全体図、（ｂ）は、要部の斜視図。
【図４】葉詰め作業台とストック台との連結装置を示す側面図。
【図５】葉詰め作業台とストック台との連結装置の拡大側面図で一部切欠して示す。
【図６】その拡大平面図で一部切欠して示す。
【図７】ストッパー手段の拡大図で一部切欠して示す。
【図８】本発明葉たばこの葉詰め・吊り込み装置の第２の実施の形態の側面図で概略的に示す。
【符号の説明】
【００２８】
１：葉詰め作業台（設備）            Ａ：葉たばこ吊り具
２：ストック台（設備）              ３：吊り込み装置（設備）
４：連結装置                      １２：ガイドレール
１３：昇降レール                    ２４：平行部
１４：連結用フレーム                  Ｂ：床面
１１ｂ、１１ｂ、２２ａ、２２ａ、２３ａ、２３ａ：平行脚杆（脚部）
３４：嵌合部                        ４４：係合突起
３４ａ：係止孔                          ７：ストッパー手段
２７：位置設定プレート            ２７ｃ：位置決め凸部
１７ａ：アジャスト脚                １７ｂ：ベース
【図１】
0003110126.tif 000003
【図２】
0003110126.tif 000004
【図３】
0003110126.tif 000005
【図４】
0003110126.tif 000006
【図５】
0003110126.tif 000007
【図６】
0003110126.tif 000008
【図７】
0003110126.tif 000009
【図８】
0003110126.tif 000010